(57)【特許請求の範囲】
【請求項１】
複写用紙を仕分けするための複数のビントレイを有し、この複数のビ
ントレイを上下に昇降させて複写用紙を収納し、最上位ビンは仕分け・丁合には使用せず
割り込みジョブや、非仕分け・非丁合ジョブ時に排出するためのプルーフトレイである仕
分け装置を備えた画像形成装置において、
前記仕分け装置に収納された複数の用紙を整合するための用紙整合手段と、
前記仕分け装置のいずれかのビントレイに用紙があることを検知するビントレイ用紙有
無検知手段と、
排出される複写用紙毎に用紙サイズを検知する用紙サイズ検知手段と、
前記用紙サイズ検知手段の検知結果に応じて、前記プルーフトレイと他のビントレイ排
出の用紙サイズを比較する用紙サイズ比較手段と、
前記用紙サイズ比較手段にて、前記プルーフトレイへの排出用紙の用紙幅の最大値が、前記他のビントレイへの排出用紙の用紙幅の最大値よりも大きい場合は、前記プルーフトレイの用紙除去指示の警告を行い、他の場合は、前記警告を禁止する警告手段と、
この警告手段の警告に基づき用紙が除去された場合、複写動作の開始を指示する複写動
作開始指示手段と、
を具備したことを特徴とする画像形成装置。
【発明の詳細な説明】
【０００１】
【発明の属する技術分野】
本発明は、複数のビントレイを有する仕分け装置を具備した画像形成装置に関する。
【０００２】
【従来の技術】
複写機などで画像形成した用紙をユーザーの意図に従って分類する画像形成装置の仕分け装置が広く用いられている。通常の仕分け装置では、割り込みジョブ用の排出トレイや非仕分け・非丁合用の排出トレイであるプルーフトレイは、別個に用意され、仕分け・丁合用のビントレイの紙有り情報はビントレイ全てに対する貫通センサにより検知されるようになっている。
この構成において、プルーフトレイと仕分け・丁合用のビントレイの紙有り情報は、制御上の簡便さおよび確実なビントレイ用紙情報把握のために個別に管理させることができる。また、排出転写用紙を整合（排出紙を揃える）させる為のジョガー機構が装備され仕分け・丁合用ビントレイに排出された用紙が整合される。
しかし、別のプルーフトレイを設けるとコスト高となるため、図１２に示す様にビントレイ３０８の最上位ビンをプルーフトレイ３０６に割り当てて使用する仕分け装置が提案されている。
この装置ではプルーフトレイ３０６とビントレイ３０８が一体となり上下に移動し、全てのビンに対し貫通センサ３００により各ビンの何れかに用紙があることを検知する仕分け装置である。コスト的に従来の仕分け装置に対して有利な一方、以下に示す様な欠点がある。
【０００３】
【発明が解決しようとする課題】
まず、プルーフトレイ３０６に用紙があり、仕分け等を行うとプルーフトレイ３０６の用紙に対しても整合（用紙揃え）処理が行われプルーフトレイ３０６の用紙を破損させる可能性がある。これは例えば仕分け・丁合用ビントレイ３０８に排出された用紙がＡ４縦の用紙であり、割り込みジョブ等でプルーフトレイ３０６にＡ４横の転写紙を排出している場合を想定する。そして割り込みジョブを終了し割り込みジョブ前に行っていた仕分け処理を続行する場合、割り込みジョブで排出した複写用紙を取り除いて実行することが前提となる。
【０００４】
即ち、仕分け・丁合用ビントレイに排出された用紙に対し整合処理（用紙備え処理）を行う場合、上記の様にプルーフトレイ３０６の用紙幅長さ（用紙排出方向に対し直角方向）が仕分け・丁合用ビントレイ３０８に排出された用紙幅長さより長いと、整合処理（用紙揃え処理）はビントレイの用紙幅に対して行われるので、プルーフトレイ３０６の用紙は押し曲げられカールや破損してしまうことになる。そこで、図１２の仕分け装置では、プルーフトレイ３０６の用紙が除去された後に仕分けジョブが実行されることが好ましい。
【０００５】
しかしこの仕分け装置は、プルーフトレイ３０６がビントレイ３０８の最上位ピンを割り当てられているので、プルーフトレイ３０６以外のビンに用紙がある場合、プルーフトレイ３０６に用紙排出後その用紙が除去されたか否かを貫通センサ３００である用紙検知センサで識別することができない。
そこで、割り込みジョブを終了し割り込みジョブ前に行っていた仕分け処理を続行する場合、割り込みジョブで排出した複写用紙をプルーフトレイ３０６から取り除いて実行できるようにすることが望ましい。そこで警告表示等が考えられるが的確なタイミングで警告を行う必要がある。また、操作性や警告による操作者への負担を減らし快適な操作性を実現する為警告を発することを最小限の抑制することも好ましい。さらに、またサイズ混載での転写紙出力においても的確に処理が行われることが望まれる。
【０００６】
また、従来例である特開平４−１４８７７１号公報記載の発明では、第１のジョブが完了した後、第２のジョブにてソータを使用する場合に関する技術であり、もし第２のジョブもソータビンを使用するなら第１のジョブと第２のジョブの用紙条件により第２のジョブの複写開始を禁止している。さらに、第２のジョブの複写開始の禁止解除は、第一のジョブが完結しているのでその用紙のソータからの取り除きを検知してから行うようにしている。
そこで、本発明は、上記の問題を解決し、より操作性の向上した仕分け装置を提供するとともに、ミスコピーを防止し信頼性の高い画像形成装置を実現することを目的とする。
【０００７】
【課題を解決するための手段】
請求項１記載の発明では、複写用紙を仕分けするための複数のビントレイを有し、この複数のビントレイを上下に昇降させて複写用紙を収納し、最上位ビンは仕分け・丁合には使用せず割り込みジョブや、非仕分け・非丁合ジョブ時に排出するためのプルーフトレイである仕分け装置を備えた画像形成装置において、前記仕分け装置に収納された複数の用紙を整合するための用紙整合手段と、前記仕分け装置のいずれかのビントレイに用紙があることを検知するビントレイ用紙有無検知手段と、排出される複写用紙毎に用紙サイズを検知する用紙サイズ検知手段と、前記用紙サイズ検知手段の検知結果に応じて、前記プルーフトレイと他のビントレイ排出の用紙サイズを比較する用紙サイズ比較手段と、前記用紙サイズ比較手段にて、前記プルーフトレイへの排出用紙の用紙幅の最大値が、前記他のビントレイへの排出用紙の用紙幅の最大値よりも大きい場合は、前記プルーフトレイの用紙除去指示の警告を行い、他の場合は、前記警告を禁止する警告手段と、この警告手段の警告に基づき用紙が除去された場合、複写動作の開始を指示する複写動作開始指示手段と、を具備したことにより前記目的を達成する。
【００１３】
【発明の実施の形態】
以下、本発明の画像形成装置の好適な実施の形態を図１ないし図１１を参照して詳細に説明する。
図１はこの実施の形態に係る画像形成装置の制御系のブロック図である。
本装置全体の制御は、ＣＰＵ（中央処置装置）１１、ＲＯＭ（リード・オンリ・メモリ）１２、ＲＡＭ（ランダム・アクセス・メモリ）１３、不揮発ＲＡＭ１４、シリアルインターフェース（Ｉ／Ｆ）１５、タイマ１６等を内蔵したメイン制御部１０により行われる。このメイン制御部１０には、感光体を駆動するためのモータ、給紙ユニット５０や両面ユニット６０における給紙モータやクラッチなどの各種交流負荷３０および各種直流負荷３１が接続されている。
【００１４】
給紙ユニット５０には給紙トレイの用紙サイズを検知するための用紙サイズ検知センサ５１が接続されており、メイン制御部１０は用紙サイズ検知センサ５１の状態により用紙サイズを検出する。また、定着ローラの温度を検出する温度センサなど各種センサ４０の入力が接続されている。自動原稿給紙装置（ＡＤＦ）８０、仕分け装置（ソータ）７０や操作部２０とはシリアルＩ／Ｆ１５を介して接続されており、シリアル通信により必要な制御データの授受を行うようになっている。
【００１５】
図２にこの装置に接続される仕分け装置（ソータ）７０のブロック図を示してある。この図２において、仕分け装置７０の制御は、ＣＰＵ２１１、ＲＯＭ２１２、ＲＡＭ２１３、シリアルインターフェイス（Ｉ／Ｆ）２１４等を内蔵したソータ制御部２１０により行われる。ソータ制御部２１０により、入紙機構２２０、ビンリフト機構２３０、ジョガー機構２４０、チャック機構２５０、ステープル機構２６０、用紙有無検知機構２７０を動作させる。
【００１６】
また、本体装置とはシリアルＩ／Ｆ２１４を介して接続されており、シリアル通信により必要な制御データの授受を行う。入紙機構２２０は複写用紙のプルーフまたはビントレイへの排出を行う。ビンリフト機構２３０はビンの上下降を行う。ジョガー機構２４０は本体装置から受けた用紙サイズに基づきジョガープレートを動作させ用紙揃えを行う。チャック機構２５０はビントレイに排出された用紙をステープル位置に移動させる。
ステープル機構２６０は、チャック機構２５０によりステープル部に送られた用紙をステープルする。そして、用紙有無検知機構２７０は、プルーフトレイと仕分け丁合用のビントレイの全てのビンに用紙があるかどうかを検出するもので一対の発行・受光センサから構成されている。ビンの用紙の有無の状態が変化した場合、本体装置にビン有無の信号を送信する。
【００１７】
次に、仕分け装置７０への用紙排出時の動作について説明する。本体装置は最初に排出するビンへの移動信号を送信し、排出するビンへの移動を行わせる。そしてコピーの最初にモータオンを送信し、用紙の排出ごとに用紙サイズ、排出ビン信号を送信する。また、ソートモード時はソートモード信号をプルーフモード時はプルーフモード信号を送信する。
仕分け装置７０は、ソートモード信号の受信時、ビンへの用紙の排出が完了した場合は、ジョガー機構２４０により用紙揃えを行う。プルーフモード信号の受信時は、ビンへの用紙排出後の用紙揃えは行わない。また、ソートモード信号受信時であっても、同じビンに異なる用紙幅のサイズが排出された場合は、用紙の破損を防ぐため用紙揃えを行わない。
【００１８】
図３には本装置に具備した操作部２０の外観を示してあり、テンキー等のハードキーや液晶上に配置されたタッチパネルキーにより構成されている。テンキー２１はコピー枚数などの設定を行う。クリア／ストップキー２２は入力したコピー枚数などをクリアしたり、コピー動作を一時中断させるために使用する。液晶表示画面２３は、操作の状態やメッセージを表示するタッチパネルである。
ガイダンスキー２４は機能の説明や操作の仕方を表示するモードへ移行するときに使用する。プログラムキー２５は、よく使う設定の登録や呼び出しを行うときに使用する。輝度調整つまみ２６は、液晶表示画面の明るさを調整するときに使用する。モードクリア／予熱キー２７は、設定した内容の取り消しや、一定時間以上の連続押下で予熱状態になる設定を行うときに使用する。割り込みキー２８はコピー動作中に割り込み、別の原稿のコピーをするときに使用する。スタートキー２９は、コピー動作の開始を指示する。
【００１９】
図４は表示画面４００の一例を示す説明図である。図４において４０１は「コピーできます」、「おまちください」等のメッセージを表示するメッセージエリア、４０２は上段にセットした枚数、下段にコピーした枚数を表示するコピー枚数表示部、４０３は画像濃度を自動的に調整する自動濃度キー、４０４は転写紙を自動的に選択する自動用紙選択キー、４０５は転写紙サイズに合わせて自動的に拡大／縮小処理をする用紙指定変倍キー、４０６はコピーを一部ずつページ順に揃える処理を指定するソートキー、４０７はコピーをページ毎に仕分けする処理を指定するスタックキー、４０８はソート処理されたものを一部ずつ綴じる処理を指定するステープルキー、４０９は特殊原稿送りキー、４１０は変倍キー、４１１は両面／ページ連写キー、４１２は消去／移動キー、４１３は表紙／合紙キーである。
表示画面内の各種キーはタッチパネル構成となっており、表示されている画面を指等でタッチすることによって表示されている項目が入力されるようになっている。
【００２０】
図５は電源投入後の仕分け装置７０の用紙の処理の手順を示したフローチャートである。
まず、仕分け装置７０に用紙が残っているかどうか（ステップ１１）は、図２の用紙有無検知機構２７０により行われる。仕分け装置７０に用紙がある場合は、例えば図４の操作部２０の表示例に示すメッセージエリア４０１に「ソータの用紙を取り除いて下さい」等のメッセージを警告表示する（ステップ１２）。そして用紙が取り除かれたことをステップ１１にて検知されるとステップ１２で行った警告を解除する（ステップ１３）。
【００２１】
さらに、以降、制御で使用する図１のＲＡＭ１３に格納されているプルーフトレイとプルーフトレイ以外のビントレイに用紙が存在しているかを示すフラグ類ｆＰｒｏｏｆＰａｐｅｒＥｘｉｓｔ、ｆＢｉｎＰａｐｅｒＥｘｉｓｔを０で初期化し用紙が存在しない状態とする（ステップ１４）。
ｆＰｒｏｏｆＰａｐｅｒＥｘｉｓｔ、ｆＢｉｎＰａｐｅｒＥｘｉｓｔのフラグは以降でも使用され、仕分け装置７０に用紙が無くなった状態で０クリアされる。また、ジョブ開始後プルーフトレイに用紙が排出されるとｆＰｒｏｏｆＰａｐｅｒＥｘｉｓｔに１がセットされ、プルーフトレイ以外のビントレイに用紙が排出されるとｆＢｉｎＰａｐｅｒＥｘｉｓｔに１がセットされる。
【００２２】
次に、図５の電源投入後の処理が完了して仕分け装置７０に用紙が無くなった状態以降の説明を図６を参照して説明する。図６は、第２の実施の形態に係り、プルーフトレイ用紙有りの状態で、次にビントレイを使用してのジョブが行われる場合、用紙除去のための警告を行う動作を示したフローチャートである。
まず、プルーフトレイ用紙ありの状態で、次にビントレイを使用してのジョブが行われる場合をステップ２１とステップ２２で表している。仕分け装置７０に用紙が無い状態でプルーフトレイを使用したジョブの開始要求が図３のスタートキー２９により指示されると（ステップ２７；Ｙ、２８；Ｙ）、複写動作を実行開始し、ステップ２９にてｆＰｒｏｏｆＰａｐｅｒＥｘｉｓｔに１がセットされる。
【００２３】
そのジョブ後、プルーフトレイに用紙ありの状態で（ステップ２１）、プルーフトレイ以外のビントレイに用紙が排出されることが認識され（ステップ２２）、さらにプルーフトレイに排出履歴があり（ｆＰｒｏｏｆＰａｐｅｒＥｘｉｓｔが１）でプルーフトレイ以外のビントレイに排出履歴がなければ（ｆＢｉｎＰａｐｅｒＥｘｉｓｔが０）、プルーフトレイに用紙が残っていてプルーフトレイ排出の用紙幅が非プルーフトレイであるビントレイの用紙幅より大きい場合、用紙整合手段でプルーフトレイ排出の転写紙が幅寄せされカールや破損してしまうのを未然に防止するために、用紙が除去されるのが確認されるまで用紙除去の警告を図４に示すメッセージエリア４０１に行う（ステップ２４）。
【００２４】
次に、図７のフローチャートを参照して第３の実施の形態を説明する。
このフローチャートは、非プルーフトレイであるビントレイに用紙がある状態でプルーフトレイに用紙が排出され、引き続き実行されるジョブがプルーフトレイ以外のビントレイを使用するジョブである場合の処理を示している。
図６の内容と異なる点は、ステップ４３の評価内容と、ステップ４４での警告を複写開始要求後ステップ４８にて解除している点である。ステップ４３では非プルーフトレイであるビントレイに用紙がある状態でプルーフトレイに用紙が排出されると、ｆＰｒｏｏｆＰａｐｅｒＥｘｉｓｔ、ｆＢｉｎＰａｐｅｒＥｘｉｓｔが共に１と識別され、引き続き実行されるジョブがプルーフトレイ以外のビントレイを使用するジョブであることはステップ４２で示される。
【００２５】
これは、例えば非割り込み状態でビントレイを使用したソートモードを実行している途中（仕分け装置７０には用紙排出済み）で、割り込みモード実行する場合を想定しており、割り込み復帰で確実にプルーフトレイに排出された用紙を除去しないと、ビントレイに対し整合処理（用紙揃え処理）が許可されている場合、プルーフトレイにＡ４横の転写紙が排出され、ビントレイにはＡ４縦の用紙が排出されているとプルーフトレイの用紙を残したままソートモードを行うと、割り込みジョブの転写紙が揃え機構により破損してしまう可能性がある。但し、ステップ４３にて整合処理（用紙揃え処理）がビントレイへの排出紙に対し行われなければ上記の不具合も発生しないので揃え手段が有効かの条件が加わっている。そこで、ステップ４４にて上記の状態の場合用紙除去の警告を図４に示すメッセージエリア４０１に行う。
【００２６】
また、警告ＯＦＦのタイミングは、例えば次の複写開始指示が検知された場合が考えられる。この場合、警告ＯＦＦ時にプルーフトレイの用紙が取り除かれたと認識しｆＰｒｏｏｆＰａｐｅｒＥｘｉｓｔを０にする。但し、用紙有無検知機構２７０がプルーフトレイとビントレイを貫通センサにて検知しているのでビントレイの用紙が存在している限り、実際本当にプルーフトレイから用紙が取り除かれたかは認識はできない。さらに、警告ＯＦＦのタイミングは、所定の規定時間後にＯＦＦするということもできる。
【００２７】
この実施の形態では、仕分け・丁合用ビントレイに排出された用紙がＡ４縦の用紙であり、割り込みジョブ等でプルーフトレイにＡ４横の転写紙を排出している場合を想定している。そして割り込みジョブを終了し割り込みジョブ前に行っていた仕分け処理を続行する場合、割り込みジョブで排出した複写用紙を取り除いて実行することが前提となる。これは、仕分け・丁合用ビントレイに排出された用紙に対し整合処理（用紙揃え処理）を行う場合、上記の様にプルーフトレイの用紙幅長さ（用紙排出方向に対し直角方向）が仕分け・丁合用ビントレイに排出された用紙幅長さより長いと、整合処理（用紙揃え処理）はビントレイの用紙幅に対して行われるので、プルーフトレイの用紙は押し曲げられカールや破損してしまうことになるからである。
【００２８】
この実施の形態では、プルーフトレイがビントレイの最上位ビンをプルーフトレイに割り当てられているので、プルーフトレイ以外のビンに用紙がある場合プルーフトレイに用紙排出後その用紙が除去されたか否かを貫通センサーである用紙検知センサで識別することはできない。そこで割り込みジョブを終了し割り込みジョブ前に行っていた仕分け処理を続行する場合、割り込みジョブで排出した複写用紙をプルーフトレイから取り除いて実行出来るようにするため、警告を行い事前にプルーフトレイの用紙の除去を促しプルーフトレイに対する用紙の整合（用紙揃え）処理が行われないようにする。
以上の構成でオペレータにて割り込みジョブで排出した複写用紙をプルーフトレイから確実に取り除いた後に、ビントレイを使用したジョブを継続実行する。そして事前にプルーフトレイの用紙の除去を促しプルーフトレイに対する用紙の整合（用紙揃え）処理が行われないようにするので、プルーフトレイの用紙を破損することが防止できる。
【００２９】
続いて、図８のフローチャートを参照して第４の実施の形態を説明する。このフローチャートでは「用紙除去の警告」（ステップ６７）のタイミングが、非プルーフトレイであるビントレイに用紙がある状態でプルーフトレイに用紙が排出され、引き続き実行されるジョブがプルーフトレイ以外のビントレイを使用するジョブであり、そのジョブの複写動作開始指示時を受けた時警告するようになっている。さらに、複写開始要求（ステップ６３）に対し一時複写動作の中断を行い（ステップ６６）、警告により用紙の除去を促す、そして再度の複写開始要求で用紙除去が完了したと見なし複写動作を再開する点が図７の処理と相違している。
【００３０】
具体的には図７のステップ４２、４３、４４、４８に相当する処理が、図８にてステップ６３の複写開始要求検知後に評価される。さらにステップ６４、６５により非プルーフトレイであるビントレイに用紙がある状態でプルーフトレイに用紙が排出され、引き続き実行されるジョブがプルーフトレイ以外のビントレイを使用するジョブであることが検知されると、複写動作の中断処理を行う（ステップ６６）。さらに、用紙除去の警告を行う（ステップ６７）。そして再度の複写開始指示にて、ステップ６７でｆＰｒｏｏｆＰａｐｅｒＥｘｉｓｔが０されているのでステップ６５を経て、ステップ６８を移行することになる。また、ステップ６７にて警告をしていることを示すフラグｆＡｌａｒｍが１となっているので（ステップ６８；Ｙ）、警告が解除される（ステップ６９）。
このように図７の第３の実施の形態に比べ警告タイミングをビントレイ使用の次ジョブの複写動作開始指示受け付け時とすることで、ビントレイの再使用に先立ちより確実にプルーフトレイの用紙除去を行うことが可能となる。
【００３１】
次に、図９のフローチャートを参照して第５の実施の形態を説明する。この実施の形態では、前記の第３、第４の実施の形態と次の点で相違している。即ち、ビントレイに用紙ありの状態でプルーフトレイ排出コピーをした場合、プルーフトレイの用紙除去の為の警告を行うようにした。しかし、プルーフトレイとビントレイの用紙幅が等しい場合またはプルーフトレイの用紙幅がビントレイ排出の用紙幅よりも小さい場合、プルーフトレイの用紙に対して整合処理（用紙揃え処理）を行ってもプルーフトレイの用紙を破損することはない。
そこで仕分け装置７０に排出された用紙サイズの状態に応じて、第３、第４の実施の形態に記載した警告手段による警告が無条件に警告するのを禁止するようにした。
具体的には図８のフローチャートに対しステップ８６、ステップ９４が追加されている。
【００３２】
ステップ９４は図１０に示す内容であり、複写動作実行により転写紙の排出先がプルーフトレイ排出か、ビントレイ排出かにより（ステップ１０１、１０２）、それぞれの用紙サイズデータから仕分け装置７０の排出方向に対し直角方向の用紙長さ（用紙幅）を、図１のＲＡＭ１３に格納されているプルーフトレイとプルーフトレイ以外のビントレイの排出された用紙幅データがストアされている変数ＰｒｏｏｆＰａｐｅｒＷｉｄｔｈ及びＢｉｎＰａｐｅｒＷｉｄｔｈに幅データを書き込む。
【００３３】
なお、用紙サイズは、給紙ユニット５０の給紙トレイの用紙サイズを検知するための用紙サイズ検知センサ５１の状態により検出する。
そして、ステップ９４で得られたＰｒｏｏｆＰａｐｅｒＷｉｄｔｈ及びＢｉｎＰａｐｅｒＷｉｄｔｈの用紙幅データによりＰｒｏｏｆＰａｐｅｒＷｉｄｔｈ＞ＢｉｎＰａｐｅｒＷｉｄｔｈの場合のみプルーフトレイの用紙に対して整合処理（用紙揃え処理）を行うとプルーフトレイの用紙を破損する可能性があるので用紙除去の為の警告を行う（ステップ８８）。
【００３４】
ここでは、図８との対比で説明したが、図７に対しても同様に図７のステップ４４の前に図９のステップ８６に相当する判断を、図７のステップ５３の前に図９のステップ９４の処理を追加すれば同様の結果となる。
以上のように構成することで、不用意な警告を防止でき操作者に対する負荷も軽減される。さらに、複写開始指示時一度複写動作を中断させ警告していたのでオペレータが複写指示を２回指示する必要が無くなりより快適で確実な仕分け装置を実現することができる。
【００３５】
次に、図１１のフローチャートを参照して第６の実施の形態を説明をする。第５の実施の形態に対して、プルーフトレイおよびビントレイに用紙サイズが混載して排出される場合に対応している。
具体的には図９のステップ９４の「ソータ用紙サイズストア」の処理を変更している。例えば、プルーフトレイに用紙サイズが混載して排出された場合は、ステップ１１５、１１６で示されるように排出用紙の中で用紙幅が最大である用紙幅データをＰｒｏｏｆＰａｐｅｒＷｉｄｔｈに記憶する様にしている。同様にビントレイに用紙サイズが混載して排出された場合はＢｉｎＰａｐｅｒＷｉｄｔｈに排出用紙の中で用紙幅が最大である用紙幅データを記憶するようにしている。このデータを基に図９のステップ８６にて警告を行うか否かを決定する。
【００３６】
これは仕分け装置７０の各ビントレイの排出用紙の仕分け装置排出方向に対して直交する方向の用紙長さが同一で無い場合（サイズ混載している場合）、揃え処理は排出紙の最大用紙幅にて行われる必要があり（小サイズにて行うと揃え処理で排出転写紙を破損する）それに対応させたためである。
これにより仕分け装置７０の各ビントレイ及びプルーフトレイに用紙サイズが混載して排出された場合にも確実に対応可能となる。
【００４１】
【発明の効果】
請求項１記載の発明では、プルーフトレイと他のビントレイの用紙幅が等しい場合またはプルーフトレイの用紙幅が他のビントレイ排出の用紙幅よりも小さい場合、プルーフトレイの用紙に対して整合処理を行ってもプルーフトレイの用紙を破損することはないため、仕分け装置に排出された用紙サイズの状態に応じて、警告手段による警告が無条件に出されることを禁止する。これにより不用意な警告を防止でき操作者に対する負荷も軽減される。
【図面の簡単な説明】
【図１】本実施の形態に係る画像形成装置の制御系のブロック図である。
【図２】仕分け装置のブロック図である。
【図３】操作部の外観を示した図である。
【図４】表示画面の一例を示す説明図である。
【図５】電源投入後の仕分け装置の用紙の処理の手順を表すフローチャートである。
【図６】電源投入後の処理が完了して仕分け装置に用紙が無くなった状態以降の処理を説明するフローチャートである。
【図７】第３の実施の形態の処理の手順を示したフローチャートである。
【図８】第４の実施の形態の処理の手順を示したフローチャートである。
【図９】第５の実施の形態の処理の手順を示したフローチャートである。
【図１０】図９のステップ９４の処理の手順を示したフローチャートである。
【図１１】第６の実施の形態の処理の手順を示したフローチャートである。
【図１２】従来の仕分け装置を説明するための図である。
【符号の説明】
１０  メイン制御部
１１  ＣＰＵ
２０  操作部
５０  給紙ユニット
５１  用紙サイズ検知サンサ
７０  仕分け装置
２１０  ソータ制御部
２７０  用紙有無検知機構
４００  表示画面
４０１  メッセージエリア
【図１】
0003571159.tif 000002
【図２】
0003571159.tif 000003
【図３】
0003571159.tif 000004
【図４】
0003571159.tif 000005
【図５】
0003571159.tif 000006
【図６】
0003571159.tif 000007
【図７】
0003571159.tif 000008
【図８】
0003571159.tif 000009
【図９】
0003571159.tif 000010
【図１０】
0003571159.tif 000011
【図１１】
0003571159.tif 000012
【図１２】
0003571159.tif 000013